(57)【要約】【課題】物体または生体の位置情報を管理するとともに、一定時間以上位置情報の確認が取れない場合に指定のユーザ端末へ通報する位置情報・時間管理・通報システムを提供する。【解決手段】位置情報管理対象の物体または生体に取り付けられた無線ICタグを、所定の場所に設置された読取装置が読み取り自己の位置情報とともにネットワークを介して送信すると、前記読取装置から送信される無線ICタグの識別情報および読取装置の位置情報を管理サーバが受信し、受信時刻とともに蓄積管理する。さらに、最後の読み取り受信時刻以降一定時間が経過しても次の読み取り受信がない場合には、管理サーバから指定のユーザ端末へその旨を通報する。【選択図】図１
2006195707.tif 000002
【特許請求の範囲】
【請求項１】
位置情報管理対象の物体または生体に取り付けられもしくは携帯され、自己の識別情報を無線によって送信する無線ICタグと、所定の場所に設置され前記無線ICタグから送信される識別情報を読み取り、読み取ったデータを自己の位置情報とともにネットワークを介して送信する複数の読取装置と、前記複数の読取装置から送信される無線ICタグの識別情報および読取装置の位置情報を蓄積管理する管理サーバとを具備することを特徴とする位置情報システム。
【請求項２】
前記管理サーバは、無線タグ毎の読み取り受信時刻を管理することを特徴とする、請求項１に記載の位置情報・時間管理システム。
【請求項３】
前記管理サーバは、最後の読み取り受信時刻以降一定時間が経過しても次の読み取り受信がない場合に、指定のユーザ端末へその旨を通報することを特徴とする、請求項１または２に記載の位置情報・時間管理・通報システム。
【発明の詳細な説明】
【技術分野】
【０００１】
本発明は、無線ICタグを用いて物体または生体の位置情報を管理するとともに、一定時間以上位置情報の確認が取れない場合に指定のユーザ端末へ通報する位置情報・時間管理・通報システムに関する。
【背景技術】
【０００２】
近年、幼稚園児や小学生を狙った犯罪が増加しているが、その防止策として、子供に携帯電話や防犯アラームを持たせ、非常時に発信させる方法がとられている。
【発明の開示】
【発明が解決しようとする課題】
【０００３】
しかし、これらの方法はアラームを鳴らす、電話をかけるなどの操作を被害者自らが行わなければならないため、非常事態を知らせることができなかったり、発見が大幅に遅れてしまうケースがあった。
【０００４】
本発明は上記事情を考慮してなされたもので、物体または生体の位置情報を管理するとともに、一定時間以上位置情報の確認が取れない場合に指定のユーザ端末へ通報する位置情報・時間管理・通報システムを提供することを目的としている。
【課題を解決するための手段】
【０００５】
この発明は上記の課題を解決するためになされたもので、請求項１に記載の発明は、
位置情報管理対象の物体または生体に取り付けられもしくは携帯され、自己の識別情報を無線によって送信する無線ICタグと、所定の場所に設置され前記無線ICタグから送信される識別情報を読み取り、読み取ったデータを自己の位置情報とともにネットワークを介して送信する複数の読取装置と、前記複数の読取装置から送信される無線ICタグの識別情報および読取装置の位置情報を蓄積管理する管理サーバとを具備することを特徴とする。
【０００６】
請求項２に記載の発明は、前記管理サーバが、無線ICタグ毎の読み取り受信時刻を管理することを特徴とする。
【０００７】
請求項３に記載の発明は、前記管理サーバが、最後の読み取り受信時刻以降一定時間が経過しても次の読み取り受信がない場合に、指定のユーザ端末へその旨を通報することを特徴とする。
【発明の効果】
【０００８】
本発明によれば、物体または生体の位置情報を管理するとともに、一定時間以上位置情報の確認が取れない場合に指定のユーザ端末へ通報するため、異常事態発生時に迅速にその旨を家族等に通知することが可能となる。
【発明を実施するための最良の形態】
【０００９】
以下図面を参照し、本発明を小学生が学校を出発してから自宅へ帰宅するまでの下校管理に用いた場合の実施の形態について説明する。図1は本発明による位置情報・時間管理・通報システムの構成を示すブロック図である。
【００１０】
図１に示すように、本発明に係る位置情報・時間管理・通報システムは、無線ICタグ１と、読取装置２ａおよび２ｂと、管理サーバ３と、ユーザ端末４とから構成される。
【００１１】
無線ICタグ１は、位置情報の管理対象となる小学生により所持・携帯される。無線ICタグ１は所有者別に割り当てられたユニークな識別IDを有しており、これらの識別IDと所有者情報とは対応付けられ管理サーバ３にて管理されている。無線ICタグ１は、読取装置２ａおよび２ｂの要求に応じて自己の識別IDを送信する。無線ICタグ１は、所有者が携帯しやすいよう、カード型やバッジ型などの小型形状であることが望ましい。
【００１２】
読取装置２ａおよび２ｂは、無線ICタグ１の識別IDを読み取り、管理サーバ３へ送信する装置であり、学校、公園、図書館、自宅などの主要施設の出入り口またはその周辺に設置される。本実施例において、読取装置２ａは学校に、読取装置２ｂは自宅に設置されている。読取装置２ａおよび２ｂの形状は、入退場時に無線ICタグ１と自動的に交信が可能なゲート型のものや、管理対象者自らが無線ICタグ１を読み取らせる据付型のもの等が考えられる。
【００１３】
管理サーバ３は、読取装置２ａおよび２ｂより送信された無線ICタグ１の識別IDと読取装置２ａおよび２ｂの位置情報を受信し、その受信時刻データとともにDBへ蓄積するサーバである。
【００１４】
ユーザ端末４は、管理サーバ３から発信される通報を受信する端末であり、ネットワークに接続可能なPCや携帯電話、PHS等が利用できる。また、ユーザ端末４から管理サーバ３へ接続し、通報条件の設定や、通報機能のオン・オフ等の指示を行うことが可能である。
読取装置２ａおよび２ｂと、管理サーバ３と、ユーザ端末４とは、ネットワーク５を介して相互に接続されている。
【００１５】
次に、図２をもとに位置情報・時間管理・通報システムの動作について説明する。
下校時、小学生の所持する無線ICタグは校内に設置された読取装置２ａと交信し、自己の識別IDを送信する（Ｓ１）。
【００１６】
読取装置２ａは無線ICタグ１の識別IDを取得し、自己の位置情報とともにネットワーク５を介して管理サーバ３へ送信する（Ｓ２）。
【００１７】
管理サーバ３は、読取装置２ａより無線ICタグ１の識別ID、読取装置２ａの位置情報を受け取り、データの受信時刻を示す時刻データとともにDBへ記録する（Ｓ３）。
これにより、小学生が学校を出たことが記録される。
【００１８】
そして、自宅に到着すると、小学生の所有する無線ICタグは再度自宅に設置された読取装置２ｂと交信し、自己の識別IDを送信する（Ｓ４）。
【００１９】
読取装置２ｂは無線ICタグ１の識別IDを取得し、自己の位置情報とともにネットワーク５を介して管理サーバ３へ送信する（Ｓ５）。
【００２０】
管理サーバ３は、読取装置２ｂより無線ICタグ１の識別ID、読取装置２ｂの位置情報を受け取り、データの受信時刻を示す時刻データとともにDBへ記録する（Ｓ６）。
これにより、小学生が自宅へ到着したことが記録される。
【００２１】
したがって、小学生はある場所での入場時および退場時の計２回、自身の無線ICタグ１を読み取らせることとなる。
【００２２】
次に、図３をもとに位置情報・時間管理・通報システムのさらなる利用例について説明する。
【００２３】
管理対象者がある場所からある場所へと移動する場合に、まず移動元にて自身のICタグを読み取らせることは上述したとおりであるが、移動元にて、つまり退場時にICタグ読み取り後一定時間以上が経過しても次の読み取り受信がない場合には、移動中に異常事態が発生していると判断し、その旨をあらかじめ指定したユーザ端末へ通知することが可能である。
【００２４】
管理サーバ３は、無線ICタグ１の識別ID別に、読み取り時刻を監視しており（Ｓ７）、一定時間、例えば20分以上識別IDの読み取り受信がない無線ICタグ１を発見した場合、その識別IDが指定するユーザ端末４へ通報を行う（Ｓ８）。これにより、ユーザ端末４は通報情報を受信し、異常事態を認知することができる（Ｓ９）。
【００２５】
ところで上記通知機能は、必要ない場合には無効にすることが可能である。例えば、休日に有効エリア以外の場所へ外出する場合などには、設定を無効にすることにより、長時間読み取り受信がなくても通報が行われないようにすることができる。この設定はユーザ端末４より管理サーバ３へ接続することにより行う。また、通報を行うまでの経過時間の指定や、退場時だけではなく、入場時の読取時間を基準にした通報判断を行うよう設定することも可能である。
【００２６】
以上説明のように、本発明によれば、人物の位置情報を把握するとともに、一定時間以上位置情報の確認が取れない場合に指定のユーザ端末へ通報するため、異常事態発生時に迅速にその旨を家族等に通知することが可能となる。
【００２７】
本明細書では、上述のように小学生の下校管理における利用例を説明したが、本システムはそれ以外にお年寄りや障害者等の外出管理等に用いることも可能である。
【図面の簡単な説明】
【００２８】
【図１】本発明の第１の例に係る位置情報・時間管理・通報システムの概要説明図である。
【図２】本発明に係る位置情報・時間管理・通報システムの動作を示すフロー図である。
【図３】本発明に係る位置情報・時間管理・通報システムのさらなる利用例を示すフロー図である。
【符号の説明】
【００２９】
１      無線ＩＣタグ
２ａ，２ｂ  読取装置
３      管理サーバ
４      ユーザ端末
５      ネットワーク
【図１】
2006195707.tif 000003
【図２】
2006195707.tif 000004
【図３】
2006195707.tif 000005